(57)【要約】【課題】  プローブカーの出発地や目的地を特定できないように、プライバシーを保護しつつ収集したプローブ情報を伝送可能にする。【解決手段】  プローブカー車載機１０は、走行軌跡計測情報蓄積部１３において、自車位置判定部１２で検出された自車位置情報の履歴より得られる自車の走行軌跡を蓄積する。送信軌跡判断部１４は、自車位置判定部１２で検出された自車位置、車両動作情況取得部５５で取得されたエンジンオンオフ、発進や停止などの自車の動作情況、目的地設定情況取得部５６で取得されたカーナビゲーション装置等による自車の目的地の設定情況などに基づき、所定の軌跡抽出条件によって走行軌跡計測情報蓄積部１３に蓄積した走行軌跡データが伝達可能なものかどうかを判断し、伝達可能な伝達対象の走行軌跡データを走行軌跡送信部１５よりプローブ情報受信装置２０へ送信する。【選択図】  図１
2006011814.tif 000002
【特許請求の範囲】
【請求項１】
車両の走行軌跡の情報を含むプローブ情報を収集するプローブカー車載機であって、
前記車両が走行した走行軌跡データを取得する走行軌跡取得手段と、
所定の軌跡抽出条件を用いて前記走行軌跡データを判定し、前記車両を使用する使用者個人またはその行動が特定可能な所定の期間または区間の走行軌跡データを除いた伝達対象となる走行軌跡データを抽出する走行軌跡抽出手段と、
前記伝達対象の走行軌跡データを伝達する伝達手段と、
を備えるプローブカー車載機。
【請求項２】
請求項１に記載のプローブカー車載機であって、
前記走行軌跡抽出手段は、前記車両の出発地または到着地または経由地のいずれか、もしくは複数が特定可能な走行軌跡データを除いた伝達対象の走行軌跡データを抽出するプローブカー車載機。
【請求項３】
請求項１に記載のプローブカー車載機であって、
前記軌跡抽出条件として、前記車両のエンジン始動時または所定時間以上停車した時からの経過時間が所定時間未満、走行距離が所定距離未満、或いは離間距離が所定距離未満となる、エンジン始動時または所定時間以上停車時以後の期間または区間の走行軌跡データを伝達対象から除外する条件を用いるプローブカー車載機。
【請求項４】
請求項１に記載のプローブカー車載機であって、
前記軌跡抽出条件として、前記車両のエンジン始動地点または所定時間以上停車した地点が存在する任意のエリア内の走行軌跡データを伝達対象から除外する条件を用いるプローブカー車載機。
【請求項５】
請求項１または４に記載のプローブカー車載機であって、
前記軌跡抽出条件として、前記車両において目的地を設定している場合に、前記目的地が存在する任意のエリア内の走行軌跡データを伝達対象から除外する条件を用いるプローブカー車載機。
【請求項６】
請求項４または５に記載のプローブカー車載機であって、
前記エリアは、行政界または基準地域メッシュ、または予め定めた任意形状ポリゴンに基づいて決定されるプローブカー車載機。
【請求項７】
請求項１に記載のプローブカー車載機であって、
前記軌跡抽出条件として、予め設定した所定のエリア内の走行軌跡データを伝達対象から除外する条件を用いるプローブカー車載機。
【請求項８】
請求項７に記載のプローブカー車載機であって、
前記エリアは、前記車両の使用者によって設定されるプローブカー車載機。
【請求項９】
請求項１または３に記載のプローブカー車載機であって、
前記軌跡抽出条件として、前記車両の停車時またはエンジン停止時から遡って経過時間が所定時間未満、走行距離が所定距離未満、或いは離間距離が所定距離未満となる、停車時またはエンジン停止時以前の期間または区間の走行軌跡データを伝達対象から除外する条件を用いるプローブカー車載機。
【請求項１０】
請求項１または３に記載のプローブカー車載機であって、
前記軌跡抽出条件として、前記車両において目的地を設定している場合に、前記目的地までの到達距離、または前記目的地までの離間距離が所定距離未満となる、目的地への到達以前の期間または区間の走行軌跡データを伝達対象から除外する条件を用いるプローブカー車載機。
【請求項１１】
請求項１〜１０のいずれかに記載のプローブカー車載機であって、
前記走行軌跡抽出手段は、前記伝達対象となる走行軌跡データの抽出をデータ伝達前に行い、前記軌跡抽出条件により除外される所定の期間または区間の走行軌跡データを前記伝達手段により伝達しないようにするプローブカー車載機。
【請求項１２】
請求項１〜１０のいずれかに記載のプローブカー車載機であって、
前記取得した走行軌跡データを蓄積する走行軌跡蓄積手段を備え、
前記走行軌跡抽出手段は、前記伝達対象となる走行軌跡データの抽出をデータ蓄積前に行い、前記軌跡抽出条件により除外される所定の期間または区間の走行軌跡データを前記走行軌跡蓄積手段により蓄積しないようにするプローブカー車載機。
【請求項１３】
請求項１〜１２のいずれかに記載のプローブカー車載機であって、
前記軌跡抽出条件における所定の期間または区間に対応する数値を可変的に決定する軌跡抽出条件決定手段を備え、
前記走行軌跡抽出手段は、前記決定された数値による軌跡抽出条件を用いて、前記伝達対象となる走行軌跡データの抽出を行うプローブカー車載機。
【請求項１４】
車両の走行軌跡の情報を含むプローブ情報を収集するプローブ情報収集システムであって、
請求項１〜１３のいずれかに記載のプローブカー車載機と、
前記プローブカー車載機より伝達された走行軌跡データを含むプローブ情報を取得し、このプローブ情報に基づいて該当道路区間の交通情報を生成するセンタ装置と、
を備えるプローブ情報収集システム。
【請求項１５】
車両の走行軌跡の情報を含むプローブ情報を収集するプローブ情報収集システムにおけるプローブ情報収集方法であって、
前記車両が走行した走行軌跡データを取得する走行軌跡取得ステップと、
所定の軌跡抽出条件を用いて前記走行軌跡データを判定し、前記車両を使用する使用者個人またはその行動が特定可能な所定の期間または区間の走行軌跡データを除いた伝達対象となる走行軌跡データを抽出する走行軌跡抽出ステップと、
前記伝達の走行軌跡データを伝達する伝達ステップと、
を有するプローブ情報収集方法。
【請求項１６】
コンピュータに、請求項１５に記載のプローブ情報収集方法の各手順を実行させるためのプログラム。
【発明の詳細な説明】
【技術分野】
【０００１】
本発明は、車両の走行軌跡等の情報を含むプローブ情報を収集するプローブカー車載機及びプローブ情報収集システムに関する。
【背景技術】
【０００２】
交通情報を収集する新たな方法として、走行中の車両がセンサ（プローブ）となり、この車両で計測された走行軌跡、速度等の情報をセンタに集めるプローブカーシステムの研究が現在進められている。センタで収集したプローブ情報は、交通情報や交通制御情報の生成に活用される。プローブカーは、道路上に固定されている超音波センサやＡＶＩセンサと違って、情報収集位置が限定されず、極めて広い範囲からリアルタイムでデータを集めることができるため、プローブ情報を解析することにより、精度の高い交通情報や交通制御情報の生成が可能になる。
【０００３】
プローブカーシステムでは、プローブカーとなる各車両のＩＤや位置、走行軌跡などが特定されるおそれがあり、プライバシー侵害について考慮する必要がある。現在は、個人情報を保護するために、個人を特定可能なＩＤ情報の取り扱いについていくつか検討されている。例えば、特許文献１には、プライバシー侵害の問題を回避するために、ナビゲーション装置において、匿名モードが指定されている場合に生成された交通情報を自己の識別ＩＤを付加しないで１つの通信路を使用して継続的に送信する送信手段を備えたものが開示されている。また、特許文献２には、プライバシーを保護しつつ正確に交通諸量を算出するために、路上側制御装置と車両との間で、路上側制御装置が設置されている位置を示すエリアコードと、カウンタによりカウントされているカウント値から構成されるＮ地点コードとを有するスポットダイナミックコードを含むデータ列を送信する情報処理装置が開示されている。
【０００４】
また、現在、路上に設置したビーコンを用いてプローブ情報を収集するプローブカーシステムとして、出発地及び到着地の情報、並びに走行経路の情報を収集する目的でＩＤ情報を用いるものが検討されている。このシステムでは、プローブカーのエンジン始動時に乱数でＩＤを決定し、最初のビーコン通過時に、プローブカー車載機からビーコンへ「初回通信」というフラグが立ったアップリンクを送信する。センタ側では、受信したデータに「初回通信」のフラグが立っている場合、センタで決定したＩＤを含むダウンリンクをビーコンからプローブカー車載機へ送信する。次回以降の通信では、プローブカー車載機は前記付与されたＩＤを使用してアップリンクを送信する。このように、センタから付与したＩＤは個人情報ではないとみなし、このＩＤを使用してデータを授受することによって、プライバシーを確保しつつプローブ情報を収集することができる。
【０００５】
しかしながら、プローブカー車載機は、当該車両の走行軌跡情報を送信するため、上記のようなＩＤ情報の処理をしたとしても、走行軌跡情報から個人情報が推定できるおそれがある。例えば、エンジンを始動した位置や停止した位置によって自宅位置が推定できたり、エンジンの始動または停止の位置やプローブカーを停車した位置によって目的地などの行動が推定できる場合がある。このような場合、プローブカーを使用した個人が容易に推定できたり、他人に知られたくない行動が知られてしまうなど、プライバシーの侵害となるおそれがある。
【０００６】
【特許文献１】特開平１１−３４０８９５号公報
【特許文献２】特開２００３−１９６７８４号公報
【発明の開示】
【発明が解決しようとする課題】
【０００７】
本発明は、上記事情に鑑みてなされたもので、プローブカーの走行軌跡情報から出発地や目的地を特定できないように、プライバシーを保護しつつ収集したプローブ情報を伝送することが可能なプローブカー車載機及びプローブ情報収集システムを提供することを目的とする。
【課題を解決するための手段】
【０００８】
本発明のプローブカー車載機は、車両の走行軌跡の情報を含むプローブ情報を収集するプローブカー車載機であって、前記車両が走行した走行軌跡データを取得する走行軌跡取得手段と、所定の軌跡抽出条件を用いて前記走行軌跡データを判定し、前記車両を使用する使用者個人またはその行動が特定可能な所定の期間または区間の走行軌跡データを除いた伝達対象となる走行軌跡データを抽出する走行軌跡抽出手段と、前記伝達対象の走行軌跡データを伝達する伝達手段と、を備えるものである。
【０００９】
これにより、使用者個人またはその行動が特定可能な所定の期間または区間の走行軌跡データを除いて送信等を行って伝達することで、プローブカーの出発地や目的地を特定できないようにすることができ、プライバシーを保護しつつ収集したプローブ情報を伝送することが可能となる。
【００１０】
また、本発明の一態様として、上記のプローブカー車載機であって、前記走行軌跡抽出手段は、前記車両の出発地または到着地または経由地のいずれか、もしくは複数が特定可能な走行軌跡データを除いた伝達対象の走行軌跡データを抽出するものとする。
これにより、車両の出発地または到着地または経由地のいずれか、もしくは複数が特定可能な走行軌跡データを除いて送信等を行って伝達することで、プライバシーを保護しつつ収集したプローブ情報を伝送することが可能となる。
【００１１】
また、本発明の一態様として、上記のプローブカー車載機であって、前記軌跡抽出条件として、前記車両のエンジン始動時または所定時間以上停車した時からの経過時間が所定時間未満、走行距離が所定距離未満、或いは離間距離が所定距離未満となる、エンジン始動時または所定時間以上停車時以後の期間または区間の走行軌跡データを伝達対象から除外する条件を用いるものとする。
これにより、エンジン始動時または所定時間以上停車時以後の所定の期間または区間の走行軌跡データが伝達されないようにすることができ、出発地が特定されないように走行軌跡データを伝送可能である。
【００１２】
また、本発明の一態様として、上記のプローブカー車載機であって、前記軌跡抽出条件として、前記車両のエンジン始動地点または所定時間以上停車した地点が存在する任意のエリア内の走行軌跡データを伝達対象から除外する条件を用いるものとする。
これにより、エンジン始動地点または所定時間以上停車した地点を含む任意のエリア内の走行軌跡データが伝達されないようにすることができ、出発地が特定されないように走行軌跡データを伝送可能である。
【００１３】
また、本発明の一態様として、上記のプローブカー車載機であって、前記軌跡抽出条件として、前記車両において目的地を設定している場合に、前記目的地が存在する任意のエリア内の走行軌跡データを伝達対象から除外する条件を用いるものとする。
これにより、目的地を含む任意のエリア内の走行軌跡データが伝達されないようにすることができ、目的地が特定されないように走行軌跡データを伝送可能である。
【００１４】
また、本発明の一態様として、上記のプローブカー車載機であって、前記エリアを、行政界または基準地域メッシュ、または予め定めた任意形状ポリゴンに基づいて決定するものとする。
【００１５】
また、本発明の一態様として、上記のプローブカー車載機であって、前記軌跡抽出条件として、予め設定した所定のエリア内の走行軌跡データを伝達対象から除外する条件を用いるものとする。
また、本発明の一態様として、上記のプローブカー車載機であって、前記エリアは、前記車両の使用者によって設定されるものとする。
これにより、予め設定した所定のエリア内の走行軌跡データが伝達されないようにすることができ、このエリア内における出発地、目的地、走行経路等が特定されないように走行軌跡データを伝送可能である。
【００１６】
また、本発明の一態様として、上記のプローブカー車載機であって、前記軌跡抽出条件として、前記車両の停車時またはエンジン停止時から遡って経過時間が所定時間未満、走行距離が所定距離未満、或いは離間距離が所定距離未満となる、停車時またはエンジン停止時以前の期間または区間の走行軌跡データを伝達対象から除外する条件を用いるものとする。
これにより、停車時またはエンジン停止時以前の所定の期間または区間の走行軌跡データが伝達されないようにすることができ、目的地が特定されないように走行軌跡データを伝送可能である。
【００１７】
また、本発明の一態様として、上記のプローブカー車載機であって、前記軌跡抽出条件として、前記車両において目的地を設定している場合に、前記目的地までの到達距離、または前記目的地までの離間距離が所定距離未満となる、目的地への到達以前の期間または区間の走行軌跡データを伝達対象から除外する条件を用いるものとする。
これにより、目的地への到達以前の所定の期間または区間の走行軌跡データが伝達されないようにすることができ、目的地が特定されないように走行軌跡データを伝送可能である。
【００１８】
また、本発明の一態様として、上記のプローブカー車載機であって、前記走行軌跡抽出手段は、前記伝達対象となる走行軌跡データの抽出をデータ伝達前に行い、前記軌跡抽出条件により除外される所定の期間または区間の走行軌跡データを前記伝達手段により伝達しないようにするものとする。
これにより、使用者個人またはその行動が特定可能な所定の期間または区間の走行軌跡データが伝達されないようにすることができる。
【００１９】
また、本発明の一態様として、上記のプローブカー車載機であって、前記取得した走行軌跡データを蓄積する走行軌跡蓄積手段を備え、前記走行軌跡抽出手段は、前記伝達対象となる走行軌跡データの抽出をデータ蓄積前に行い、前記軌跡抽出条件により除外される所定の期間または区間の走行軌跡データを前記走行軌跡蓄積手段により蓄積しないようにするものとする。
これにより、使用者個人またはその行動が特定可能な所定の期間または区間の走行軌跡データが蓄積及び伝達されないようにすることができる。
【００２０】
また、本発明の一態様として、上記のプローブカー車載機であって、前記軌跡抽出条件における所定の期間または区間に対応する数値を可変的に決定する軌跡抽出条件決定手段を備え、前記走行軌跡抽出手段は、前記決定された数値による軌跡抽出条件を用いて、前記伝達対象となる走行軌跡データの抽出を行うものとする。
これにより、軌跡抽出条件における所定の期間または区間に対応する数値が不定となり、使用者個人またはその行動が特定可能な期間または区間が変化するため、走行軌跡データから出発地や目的地の特定をさらに困難にすることが可能となる。
【００２１】
本発明のプローブ情報収集システムは、車両の走行軌跡の情報を含むプローブ情報を収集するプローブ情報収集システムであって、上記いずれかに記載のプローブカー車載機と、前記プローブカー車載機より伝達された走行軌跡データを含むプローブ情報を取得し、このプローブ情報に基づいて該当道路区間の交通情報を生成するセンタ装置と、を備えるものである。
これにより、使用者個人またはその行動が特定可能な所定の期間または区間の走行軌跡データを除いて伝達することで、プローブカーの出発地や目的地を特定できないようにすることができ、プライバシーを保護しつつ収集したプローブ情報を伝送することが可能となる。
【００２２】
本発明のプローブ情報収集方法は、車両の走行軌跡の情報を含むプローブ情報を収集するプローブ情報収集システムにおけるプローブ情報収集方法であって、前記車両が走行した走行軌跡データを取得する走行軌跡取得ステップと、所定の軌跡抽出条件を用いて前記走行軌跡データを判定し、前記車両を使用する使用者個人またはその行動が特定可能な所定の期間または区間の走行軌跡データを除いた伝達対象となる走行軌跡データを抽出する走行軌跡抽出ステップと、前記伝達の走行軌跡データを伝達する伝達ステップと、を有するものである。
これにより、使用者個人またはその行動が特定可能な所定の期間または区間の走行軌跡データを除いて送信等を行って伝達することで、プローブカーの出発地や目的地を特定できないようにすることができ、プライバシーを保護しつつ収集したプローブ情報を伝送することが可能となる。
【００２３】
また、本発明は、上記のプローブ情報収集方法の各手順を実行させるためのプログラムを提供する。
【発明の効果】
【００２４】
本発明によれば、プローブカーの走行軌跡情報から出発地や目的地を特定できないように、プライバシーを保護しつつ収集したプローブ情報を伝送することが可能なプローブカー車載機及びプローブ情報収集システムを提供できる。
【発明を実施するための最良の形態】
【００２５】
（第１の実施形態）
図１は本発明の第１の実施形態に係るプローブ情報収集システムの機能構成を示すブロック図である。プローブ情報収集システムは、プローブカーに搭載されるプローブカー車載機１０と、プローブカー車載機１０から送信されるプローブ情報を受信するプローブ情報受信装置２０と、プローブ情報受信装置２０よりプローブ情報を取得して各種交通情報を生成するセンタ装置３０とを有して構成される。
【００２６】
このプローブ情報収集システムは、民間の情報収集プロバイダが配備したデータ収集用車両、或いは交通情報提供サービスを契約した利用者の車両等をプローブカーとし、このプローブカーにプローブカー車載機１０を搭載して、プローブカーが走行した道路の各地点に関する走行速度や走行軌跡などの情報を含むプローブ情報を収集するものである。
【００２７】
プローブ情報受信装置２０は、路上に設置されたビーコン、或いは移動体通信の基地局などから構成され、プローブカー車載機１０から送信されるプローブ情報を受信するものである。このプローブ情報受信装置２０は、プローブカーの走行軌跡、走行速度等を含むプローブ情報を受信するデータ受信部２１と、センタ装置３０との間でプローブ情報等のデータを送受信するセンタ装置通信部２２とを備える。
【００２８】
センタ装置３０は、情報処理装置等を有して構成され、各所に配置されたプローブ情報受信装置２０からのプローブ情報を取得し、交通情報の生成、配信等を行うものである。  このセンタ装置３０は、プローブ情報の編集、解析等の処理を行って該当道路区間の平均速度、旅行時間等の交通情報を生成する交通情報生成部３１と、生成した交通情報を配信する情報配信部３２とを備える。生成された交通情報は、カーナビゲーション装置、携帯電話端末、携帯情報端末、パーソナルコンピュータ等による交通情報活用装置４０に配信されて活用される。交通情報活用装置４０では、提供された交通情報に基づき、対象道路区間の渋滞度や旅行時間の表示、目的地までの経路探索、音声等によるルート案内などが行われる。
【００２９】
プローブカー車載機１０は、センサ情報収集部１１、自車位置判定部１２、走行軌跡計測情報蓄積部１３、送信軌跡判断部１４、走行軌跡送信部１５を有して構成される。センサ情報収集部１１は、速度センサ、動力出力センサ、燃料消費センサ等の車両に設けられた各種センサの計測情報を収集する。自車位置判定部１２は、速度パルスより自車の走行速度を検出する速度検出部５２、自車が向いている方角を検出するジャイロ５３、及びＧＰＳからのＧＰＳ信号を受信して位置情報を取得するＧＰＳ受信部５４より送られる情報に基づき、現在自車がいる位置を判定し、自車位置として検出する。走行軌跡計測情報蓄積部１３は、走行軌跡取得手段及び走行軌跡蓄積手段の機能を有するもので、自車位置判定部１２で検出された自車位置情報の履歴より自車の走行軌跡を取得し、得られた自車の走行軌跡と、センサ情報収集部１１で収集した各種センサの計測情報を蓄積する。
【００３０】
送信軌跡判断部１４は、走行軌跡抽出手段の機能を有するもので、自車位置判定部１２で検出された自車位置、車両動作情況取得部５５で取得されたエンジンオンオフ、発進や停止などの自車の動作情況、目的地設定情況取得部５６で取得されたカーナビゲーション装置等による自車の目的地の設定情況などに基づき、所定の軌跡抽出条件によって走行軌跡計測情報蓄積部１３に蓄積した走行軌跡データが伝達可能なものかどうかを判断する。  走行軌跡送信部１５は、伝達手段の機能を有するもので、送信軌跡判断部１４で伝達可能と判定されて出力された走行軌跡データをプローブ情報受信装置２０へ送信する。なお、走行軌跡データを送信する際に、符号化圧縮を行ってデータ量が少なくなるようにしてもよい。
【００３１】
ここで、走行軌跡データの伝達とは、無線や有線での情報送信を含み、また、記録媒体を介した伝達も含むものとする。よって、走行軌跡データを伝達する伝達手段としては、上記走行軌跡送信部１５のような送信手段だけでなく、メモリカード等の記録媒体等も含まれる。また、上記のように走行軌跡計測情報蓄積部１３で走行軌跡データを蓄積するものに限らず、蓄積を行わずにリアルタイムに走行軌跡データを送信するような構成としてもよい。
【００３２】
上記構成のプローブカー車載機１０では、例えば１秒単位で、自車位置判定部１２において走行軌跡データの素になる現在位置を検出し、走行軌跡計測情報蓄積部１３において速度、動力出力、燃料消費等の計測データを収集する。そして、送信軌跡判断部１４において、自車位置、自車の動作情況、目的地の設定情況の少なくともいずれかに基づき、所定の軌跡抽出条件によって走行軌跡データが伝達してもよいものかどうかを判断したり、或いは、伝達してもよい走行軌跡データを選択して出力する。これにより、プローブカーの出発地や目的地等が推定されないようにし、プローブカーを使用する個人またはその行動が特定されることを防止してプライバシーを確保する。
【００３３】
なお、上記のように所定の軌跡抽出条件に基づき、軌跡抽出条件に合致しない場合は走行軌跡データの送信を禁止したり、軌跡抽出条件に合致する走行軌跡データのみを選択して送信するなどして、軌跡抽出条件によって走行軌跡データの送信を行わないようにする処理のみに限らず、他の処理を行ってもよい。例えば、所定の軌跡抽出条件に合致しない場合は、走行軌跡データの蓄積をしないようにしたり、蓄積した走行軌跡データを破棄するなどの処理を行うことで、結果的に走行軌跡データが送信されないようにしてもよい。
【００３４】
ここで、伝達可能な走行軌跡データを選択するための軌跡抽出条件について説明する。  本実施形態では、以下のような場合に走行軌跡データをセンタ装置側へ送信しないようにし、プローブカーを使用する個人またはその行動の特定を防止する。
【００３５】
（１）プローブカーのエンジン始動後または所定時間以上停車後のしばらくの間、すなわちエンジン始動時または所定時間以上停車時から所定時間経過（例えば５分経過）、所定距離走行（例えば１ｋｍ走行）、或いは所定距離以上離間（例えば直線距離で１ｋｍ以上離間）するまでの間は、その間の走行軌跡データを送信しない、或いは蓄積しないようにする。これにより、例えば、エンジン始動後から５分経過するまでの走行軌跡が伝達されないようになる。
【００３６】
（２）走行軌跡データの蓄積から送信までのタイミングを所定時間ずらす（例えば５分遅延させる）ようにし、プローブカーの停車前またはエンジン停止前のしばらくの間、すなわち停車時またはエンジン停止時から遡って所定時間経過（例えば５分経過）、所定距離走行（例えば１ｋｍ走行）、或いは所定距離以上離間（例えば直線距離で１ｋｍ以上離間）した以前の走行軌跡データを送信しないようにする。これにより、例えば、エンジン停止時より前の直近５分間の走行軌跡が伝達されないようになる。
【００３７】
（３）カーナビゲーション装置等で目的地を設定している場合に、目的地までの到達距離、または目的地までの直線距離が所定値未満となる目的地への到達前のしばらくの間（例えば目的地まで１ｋｍ以内）の走行軌跡データを送信しないようにする。これにより、例えば、目的地から１ｋｍ手前までの走行軌跡が伝達されないようになる。
【００３８】
次に、本実施形態における走行軌跡データの送信動作の例を示す。図２は路上に設置されたビーコンをプローブ情報受信装置２０として用いた場合に関する第１動作例を示す図である。ここでは、自宅６１から目的地６２までの区間をプローブカー６３で走行した軌跡を収集する場合を示す。道路上の複数地点には、プローブ情報受信装置２０として機能するビーコン６４が配置されており、このビーコン６４の近傍を通過するプローブカー６３のプローブカー車載機１０より走行軌跡データを含むプローブ情報がアップロードされる。
【００３９】
まず上記軌跡抽出条件（１）を用いて、プローブカー６３の使用者の自宅６１においてエンジンを始動した後、または長時間停車した後、しばらくの間（例えば１ｋｍ走行するまでの間）は走行軌跡データを送信しない、または蓄積しないようにする。このため、所定の期間または区間が過ぎる地点より前にあるビーコンＡでは、自宅６１からビーコンＡ近傍までの走行軌跡データが送信されず、出発地が不明となる。そして、プローブカー６３が走行していき、所定の期間または区間が過ぎた後は、走行軌跡データが伝達可能となり、ビーコンＢ、ビーコンＣにおいてそれぞれ走行軌跡データが送信されて収集される。その後、プローブカー６３が目的地６２に到着すると、ビーコンＤまでは到達していないため、ビーコンＣ近傍から目的地６２までの走行軌跡データは送信されず、目的地が不明となる。
【００４０】
この第１動作例のように、プローブ情報の収集手段としてビーコンを用いる場合は、ビーコン設置位置は幹線道路等の道路上の所定位置に固定されているため、目的地手前の最終のビーコンと通信した後は走行軌跡が不明で目的地までは特定できず、走行軌跡から特定できるのは出発地のみである。このため、軌跡抽出条件（１）のみを適用して出発地を不明とするだけでも十分である。
【００４１】
なお、上記軌跡抽出条件（２）を用いて、プローブカー６３の停車またはエンジン停止より以前の所定の期間または区間の走行軌跡データを送信しないようにしたり、上記軌跡抽出条件（３）を用いて、カーナビゲーション装置等で目的地を設定している場合に目的地への到達前の所定の期間または区間の走行軌跡データを送信しないようにしてもよい。  このようにすることで、目的地６２の近傍の直前直後にビーコン６４がある場合などに、目的地が推定されることを防止できる。
【００４２】
図３は移動体通信の基地局をプローブ情報受信装置２０として用いた場合に関する第２動作例を示す図である。この場合、移動体通信の所定通信エリア毎に配置された基地局６５を用いて、所定の地点、所定の走行距離毎または所定の時間毎などで、走行するプローブカー６３のプローブカー車載機１０より基地局６５に対して走行軌跡データを含むプローブ情報がアップロードされる。
【００４３】
まず第１動作例と同様、上記軌跡抽出条件（１）を用いて、プローブカー６３の使用者の自宅６１においてエンジンを始動した後、または長時間停車した後、しばらくの間（例えば１ｋｍ走行するまでの間）は走行軌跡データを送信しない、または蓄積しないようにする。このため、所定の期間または区間が過ぎる地点より前にある地点Ａでは、自宅６１から地点Ａ近傍までの走行軌跡データが送信されず、出発地が不明となる。そして、プローブカー６３が走行していき、所定の期間または区間が過ぎた後は、走行軌跡データが伝達可能となり、地点Ｂ、地点Ｃにおいてそれぞれ走行軌跡データが送信されて収集される。第２動作例では、走行軌跡データの蓄積から送信までのタイミングを所定時間遅らせるようにし、送信地点より少し前の地点までの走行軌跡データを送信する。
【００４４】
その後、プローブカー６３が目的地６２に到着した際、上記軌跡抽出条件（２）を用いて、地点Ｄではプローブカー６３の停車またはエンジン停止より以前の所定の期間または区間の走行軌跡データを送信しないようにする。これにより、目的地６２より上流しばらくの地点Ｃ手前から目的地６２までの走行軌跡データの送信が回避され、目的地が不明となる。
【００４５】
なお、上記軌跡抽出条件（３）を用いて、カーナビゲーション装置等で目的地を設定している場合に目的地への到達前の所定の期間または区間の走行軌跡データを送信しないようにしてもよい。このようにすることで、目的地６２の直前で走行軌跡データが送信されるような場合などに、目的地が推定されることを防止できる。
【００４６】
次に、走行軌跡データ送信時の動作を説明する。図４は第１の実施形態のプローブカー車載機１０における走行軌跡データ送信処理の手順を示すフローチャートである。
【００４７】
自車位置判定部１２は、速度検出部５２、ジャイロ５３及びＧＰＳ受信部５４の出力に基づき、現在の自車位置を検出する（ステップＳ１１）。そして、走行軌跡計測情報蓄積部１３は、一定距離毎に現在位置及び現在時刻を計測し、得られた走行軌跡データを蓄積する（ステップＳ１２）。
【００４８】
そして、送信軌跡判断部１４は、送信タイミングか否か、すなわちプローブ情報受信装置２０との通信が発生するかどうかを判断し（ステップＳ１３）、送信タイミングになるまでステップＳ１２で走行軌跡データが蓄積される。ステップＳ１３で送信タイミングになったときに、送信軌跡判断部１４は、蓄積されている走行軌跡データから上記軌跡抽出条件に合致する伝達可能な伝達対象の走行軌跡データを選択して抽出する（ステップＳ１４）。その後、走行軌跡送信部１５は、伝達可能と判断された走行軌跡データを送信用のフォーマットに変換し（ステップＳ１５）、この走行軌跡データをプローブ情報受信装置２０へ送信する（ステップＳ１６）。そして、上記処理を繰り返す。
【００４９】
このように蓄積した走行軌跡データを送信する際に所定の軌跡抽出条件によって選択し、プローブカーの使用者個人またはその行動が特定可能な所定の期間または区間の走行軌跡データを送信しないようにすることで、プライバシーを保護しつつ収集したプローブ情報を伝送する。
【００５０】
（第２の実施形態）
図５は本発明の第２の実施形態に係るプローブ情報収集システムの機能構成を示すブロック図である。第２の実施形態は、第１の実施形態の変形例であり、データ蓄積時に伝達可否の判定を行って伝達可能な走行軌跡データのみを蓄積する例である。第２の実施形態のプローブ車載機６０は、自車位置判定部１２と走行軌跡計測情報蓄積部１３との間に走行軌跡判断部１４を備えている。その他の構成要素は図１に示した第１の実施形態と同様であり、ここでは説明を省略する。
【００５１】
図６は第２の実施形態のプローブカー車載機における走行軌跡データ送信処理の手順を示すフローチャートである。自車位置判定部１２は、速度検出部５２、ジャイロ５３及びＧＰＳ受信部５４の出力に基づき、現在の自車位置を検出する（ステップＳ２１）。そして、走行軌跡判断部１４は、上記軌跡抽出条件に合致するか否かを判断する（ステップＳ２２）。ここで、軌跡抽出条件に合致する場合は、走行軌跡計測情報蓄積部１３は、一定距離毎に現在位置及び現在時刻を計測し、得られた走行軌跡データを蓄積する（ステップＳ２３）。この場合、軌跡抽出条件に合致する伝達可能な走行軌跡データのみが蓄積される。
【００５２】
そして、走行軌跡計測情報蓄積部１３は、送信タイミングか否か、すなわちプローブ情報受信装置２０との通信が発生するかどうかを判断し（ステップＳ２４）、送信タイミングになるまでステップＳ２３で走行軌跡データが蓄積される。ステップＳ２４で送信タイミングになると、走行軌跡送信部１５は、蓄積された伝達可能な走行軌跡データを送信用のフォーマットに変換し（ステップＳ２５）、この走行軌跡データをプローブ情報受信装置２０へ送信する（ステップＳ２６）。そして、上記処理を繰り返す。
【００５３】
このように走行軌跡データを蓄積する際に所定の軌跡抽出条件によって選択し、プローブカーの使用者個人またはその行動が特定可能な所定の期間または区間の走行軌跡データが蓄積及び送信されないようにすることで、プライバシーを保護しつつ収集したプローブ情報を伝送する。
【００５４】
（第３の実施形態）
図７は本発明の第３の実施形態に係るプローブ情報収集システムの機能構成を示すブロック図である。第３の実施形態は、軌跡抽出条件のパラメータを可変とした例である。第３の実施形態のプローブカー車載機７０は、軌跡抽出条件のパラメータの数値を決定する軌跡抽出条件決定手段の機能を有する軌跡抽出条件決定部７１を備えている。その他の構成要素は図１に示した第１の実施形態と同様であり、ここでは説明を省略する。
【００５５】
第１の実施形態のように、軌跡抽出条件によって出発地から所定の期間または区間の走行軌跡データを送信しないようにする場合、この期間（例えば５分間）または区間（例えば１ｋｍ）の規定値が固定で値を予め知っている場合、いくつかの走行軌跡から出発地を推定できる場合がある。
【００５６】
図８は複数の走行軌跡から出発地を推定可能な例を説明する図である。例えば、走行軌跡データについて「エンジン始動地点から直線距離２ｋｍ」の位置から伝達対象の走行軌跡として送信する場合、図８のように軌跡１〜３のそれぞれの走行軌跡の開始位置を中心に半径２ｋｍの円Ｃ１〜Ｃ３を描いて交点を求めることにより、２ないし３つの走行軌跡から出発地を推定可能である。また、伝達対象の走行軌跡の規定値が「エンジン始動地点から走行距離２ｋｍ」の場合は、出発点は送信された走行軌跡の開始位置から道なり距離２ｋｍ地点のいずれかであり、多少面倒な計算が必要であるが、いくつかの走行軌跡から出発点の推定は可能である。また、伝達対象の走行軌跡の規定値が「エンジン始動時点から５分間」の場合も、交通情報の旅行時間から走行距離に換算して類似の推定は可能である。
【００５７】
そこで、第３の実施形態では、本発明の主旨であるプローブカーの使用者個人またはその行動が特定可能な出発地または目的地の周辺の走行軌跡を伝達しないという点に鑑み、「周辺」を既定する軌跡抽出条件のパラメータの数値を可変とすることで、ふらつきを持たせて不定となるようにする。これにより、上記のような出発地または目的地の推定が困難となる。
【００５８】
プローブカー車載機７０の軌跡抽出条件決定部７１は、乱数発生器等を備え、軌跡抽出条件におけるパラメータ「走行距離Ｘｋｍ」「直線距離Ｙｋｍ」「Ｚ分間」のＸ、Ｙ、Ｚの値をランダムに変化させ、軌跡抽出条件を決定する。さらに、出発の都度、「走行距離Ｘｋｍ」「直線距離Ｙｋｍ」「Ｚ分間」のうちのどれを使用するかをランダムに選出するようにしてもよい。なお、この軌跡抽出条件の情報はセンタ装置側に知らせないようにする。
【００５９】
図９は第３の実施形態のプローブカー車載機７０における走行軌跡データ送信処理の手順を示すフローチャートである。
【００６０】
自車位置判定部１２は、速度検出部５２、ジャイロ５３及びＧＰＳ受信部５４の出力に基づき、現在の自車位置を検出する（ステップＳ３１）。そして、走行軌跡計測情報蓄積部１３は、一定距離毎に現在位置及び現在時刻を計測し、得られた走行軌跡データを蓄積する（ステップＳ３２）。
【００６１】
そして、送信軌跡判断部１４は、送信タイミングか否か、すなわちプローブ情報受信装置２０との通信が発生するかどうかを判断し（ステップＳ３３）、送信タイミングになるまでステップＳ３２で走行軌跡データが蓄積される。ステップＳ３３で送信タイミングになったときに、軌跡抽出条件決定部７１は、乱数等を発生させて軌跡抽出条件のパラメータの数値をランダムに決定し、軌跡抽出条件をその都度設定する（ステップＳ３４）。ここで、エンジン始動位置またはエンジン停止位置或いは停車位置からの走行距離または離間距離、或いは経過時間がいくつ以上の走行軌跡を送信するか、パラメータをその都度変更して軌跡抽出条件を決定する。
【００６２】
続いて、送信軌跡判断部１４は、蓄積されている走行軌跡データから上記設定した軌跡抽出条件に合致する伝達可能な伝達対象の走行軌跡データを選択して抽出する（ステップＳ３５）。その後、走行軌跡送信部１５は、伝達可能と判断された走行軌跡データを送信用のフォーマットに変換し（ステップＳ３６）、この走行軌跡データをプローブ情報受信装置２０へ送信する（ステップＳ３７）。そして、上記処理を繰り返す。
【００６３】
このように蓄積した走行軌跡データを送信する際に軌跡抽出条件をその都度ランダムに決定することで、出発地及び目的地の推定をより困難にする。そして、設定された軌跡抽出条件によって走行軌跡データを選択して、プローブカーの使用者個人またはその行動が特定可能な所定の期間または区間の走行軌跡データを送信しないようにすることで、プライバシーを保護しつつ収集したプローブ情報を伝送する。
【００６４】
（第４の実施形態）
図１０は本発明の第４の実施形態に係るプローブ情報収集システムの機能構成を示すブロック図である。第４の実施形態は、第３の実施形態の変形例であり、データ蓄積時に伝達可否の判定を行って伝達可能な走行軌跡データのみを蓄積する例である。第４の実施形態のプローブ車載機８０は、自車位置判定部１２と走行軌跡計測情報蓄積部１３との間に走行軌跡判断部１４を備えている。その他の構成要素は図７に示した第３の実施形態と同様であり、ここでは説明を省略する。
【００６５】
図１１は第４の実施形態のプローブカー車載機における走行軌跡データ送信処理の手順を示すフローチャートである。軌跡抽出条件決定部７１は、乱数等を発生させて軌跡抽出条件のパラメータの数値をランダムに決定し、軌跡抽出条件をその都度設定する（ステップＳ４１）。自車位置判定部１２は、速度検出部５２、ジャイロ５３及びＧＰＳ受信部５４の出力に基づき、現在の自車位置を検出する（ステップＳ４２）。そして、走行軌跡判断部１４は、上記設定した軌跡抽出条件に合致するか否かを判断する（ステップＳ４３）。ここで、軌跡抽出条件に合致する場合は、走行軌跡計測情報蓄積部１３は、一定距離毎に現在位置及び現在時刻を計測し、得られた走行軌跡データを蓄積する（ステップＳ４４）。この場合、軌跡抽出条件に合致する伝達可能な走行軌跡データのみが蓄積される。
【００６６】
そして、走行軌跡計測情報蓄積部１３は、送信タイミングか否か、すなわちプローブ情報受信装置２０との通信が発生するかどうかを判断し（ステップＳ４５）、送信タイミングになるまでステップＳ４４で走行軌跡データが蓄積される。ステップＳ４５で送信タイミングになると、走行軌跡送信部１５は、蓄積された伝達可能な走行軌跡データを送信用のフォーマットに変換し（ステップＳ４６）、この走行軌跡データをプローブ情報受信装置２０へ送信する（ステップＳ４７）。そして、上記処理を繰り返す。
【００６７】
このように走行軌跡データを蓄積する際に軌跡抽出条件をその都度ランダムに決定することで、出発地及び目的地の推定をより困難にする。そして、設定された軌跡抽出条件によって走行軌跡データを選択して、プローブカーの使用者個人またはその行動が特定可能な所定の期間または区間の走行軌跡データが蓄積及び送信されないようにすることで、プライバシーを保護しつつ収集したプローブ情報を伝送する。
【００６８】
（第５の実施形態）
第５の実施形態は、軌跡抽出条件の他の例として、走行軌跡中の所定の区間や期間の代わりに、エリアによって伝達対象の走行軌跡データを選別する場合を示したものである。  プローブカー車載機の構成については、図１に示した第１の実施形態または図５に示した第２の実施形態と同様である。
【００６９】
この第５の実施形態では、プローブカーのエンジン始動地点または所定時間以上停車した地点が存在する任意のエリア内の走行軌跡データを除外して生成、蓄積、送信等を行うようにする。この場合、予め設定したエリアから外へ出たところから、走行軌跡データの生成、蓄積、送信等が行われる。
【００７０】
また、カーナビゲーション装置等でプローブカーの目的地を設定している場合に、この目的地が含まれる任意のエリア内の走行軌跡データを除外して生成、蓄積、送信等を行うようにすることも可能である。
【００７１】
上記任意のエリアは、市区町村などの行政界、基準地域メッシュ（１次、２次、３次メッシュ：行政管理庁告示第１４３号）などの矩形、プローブカー側で世帯数や人口数を元に作成した任意形状のポリゴン領域などを用いて設定することが可能である。また、これらのエリアからＮｍ離れたら伝達対象とするようにしてもよい。
【００７２】
よって、第５の実施形態においては、伝達可能な走行軌跡データを選択するための軌跡抽出条件として以下の条件が用いられる。
【００７３】
（４）プローブカーのエンジン始動地点または所定時間以上停車した地点が存在する任意のエリアにおいて、このエリア内の走行軌跡データを送信しないようにする。これにより、例えば、エンジンを始動した地点の市区町村などの行政区域内部のエリア、すなわちエンジン始動地点から行政界までの走行軌跡が伝達されないようになる。
【００７４】
（５）カーナビゲーション装置等で目的地を設定している場合に、この目的地が存在する任意のエリア内の走行軌跡データを送信しないようにする。これにより、例えば、目的地がある市区町村などの行政区域内部のエリア、すなわち目的地から遡って行政界までの走行軌跡が伝達されないようになる。
【００７５】
図１２は本発明の第５の実施形態における伝達対象の走行軌跡データの例を示す図である。この例では、任意のエリアを市区町村などの行政界Ｂ１に基づいて設定したものである。図１２に示す軌跡１〜３のように、行政界Ｂ１より内側の走行軌跡データが除外され、行政界Ｂ１と交差する地点Ｐ１〜Ｐ３より外の走行軌跡データだけが生成、蓄積、送信等なされる。
【００７６】
第５の実施形態における走行軌跡データ送信処理の手順は、図４に示す第１の実施形態または図６に示す第２の実施形態と同様である。すなわち、図４のステップＳ１４または図６のステップＳ２２において、上記軌跡抽出条件（４）または（５）を用いてエリアより外に出たかどうかを判定することで、軌跡抽出条件に合致する伝達可能な伝達対象の走行軌跡データを選択する。
【００７７】
このように出発地や目的地を含む任意のエリア内の走行軌跡データを除外することで、出発地や目的地が特定されることを防止し、プライバシーを保護しつつ収集したプローブ情報を伝送する。
【００７８】
次に、上記第５の実施形態の変形例を示す。この変形例は、走行軌跡データの生成、蓄積、送信等を行わないように除外するエリアを、プローブカーの使用者が任意に設定するようにしたものである。この場合、使用者がプローブカー車載機への操作入力などによって、その周辺での行動、走行経路等を知られたくない領域を所定のエリアとして予め設定し、このエリア内については走行軌跡データの生成、蓄積、送信等を行わないようにする。
【００７９】
これにより、図１２に示した第５の実施形態と同様に、設定したエリア内の走行軌跡データが伝達されないようになり、エリア内における出発地、目的地、停車地点、走行経路などの特定ができなくなる。
【００８０】
上記任意のエリアは、市区町村などの行政界、基準地域メッシュ（１次、２次、３次メッシュ）などの矩形、任意矩形、任意形状のポリゴン、任意地点を中心とした半径Ｎｋｍの円またはＮｋｍ四方などを使用者が指定して設定することが可能である。
【００８１】
このようにプローブカーの使用者が予め設定した所定のエリア内の走行軌跡データを除外することで、設定エリア内の出発地、目的地、停車地点、走行経路などが特定されることを防止し、プライバシーを保護しつつ収集したプローブ情報を伝送する。
【００８２】
上述したように、本実施形態によれば、プローブカーの出発地または目的地の周辺、あるいは予め設定したエリア内の走行軌跡データを伝達しないことによって、走行軌跡から出発地、目的地、停車地点、走行経路などの推定を困難にすることができる。したがって、プローブカーの使用者の自宅位置やプローブカーで行った目的地などを推定し、プローブカーの使用者個人またはその行動が特定されることを防止できる。これによって、プローブカーシステムにおいて、プライバシーを保護しつつ収集したプローブ情報を伝送し、交通情報を生成したり、この交通情報を活用することが可能となる。
【産業上の利用可能性】
【００８３】
本発明は、プローブカーの走行軌跡情報から出発地や目的地を特定できないように、プライバシーを保護しつつ収集したプローブ情報を伝送することが可能となる効果を有し、車両の走行軌跡等の情報を含むプローブ情報を収集するプローブカー車載機及びプローブ情報収集システム等に有用である。
【図面の簡単な説明】
【００８４】
【図１】本発明の第１の実施形態に係るプローブ情報収集システムの機能構成を示すブロック図
【図２】本実施形態における走行軌跡データの送信動作の例として、路上に設置されたビーコンをプローブ情報受信装置として用いた場合に関する第１動作例を示す図
【図３】本実施形態における走行軌跡データの送信動作の例として、移動体通信の基地局をプローブ情報受信装置として用いた場合に関する第２動作例を示す図
【図４】第１の実施形態のプローブカー車載機における走行軌跡データ送信処理の手順を示すフローチャート
【図５】本発明の第２の実施形態に係るプローブ情報収集システムの機能構成を示すブロック図
【図６】第２の実施形態のプローブカー車載機における走行軌跡データ送信処理の手順を示すフローチャート
【図７】本発明の第３の実施形態に係るプローブ情報収集システムの機能構成を示すブロック図
【図８】複数の走行軌跡から出発地を推定可能な例を説明する図
【図９】第３の実施形態のプローブカー車載機における走行軌跡データ送信処理の手順を示すフローチャート
【図１０】本発明の第４の実施形態に係るプローブ情報収集システムの機能構成を示すブロック図
【図１１】第４の実施形態のプローブカー車載機における走行軌跡データ送信処理の手順を示すフローチャート
【図１２】本発明の第５の実施形態における伝達対象の走行軌跡データの例を示す図
【符号の説明】
【００８５】
１０、６０、７０、８０  プローブカー車載機
１１  センサ情報収集部
１２  自車位置判定部
１３  走行軌跡計測情報蓄積部
１４  送信軌跡判断部
１５  走行軌跡送信部
２０  プローブ情報受信装置
２１  データ受信部
２２  センタ装置通信部
３０  センタ装置
３１  交通情報生成部
３２  情報配信部
４０  交通情報活用装置
５５  車両動作情況取得部
５６  目的地設定情況取得部
７１  軌跡抽出条件決定部
【図１】
2006011814.tif 000003
【図２】
2006011814.tif 000004
【図３】
2006011814.tif 000005
【図４】
2006011814.tif 000006
【図５】
2006011814.tif 000007
【図６】
2006011814.tif 000008
【図７】
2006011814.tif 000009
【図８】
2006011814.tif 000010
【図９】
2006011814.tif 000011
【図１０】
2006011814.tif 000012
【図１１】
2006011814.tif 000013
【図１２】
2006011814.tif 000014